(57)【要約】【課題】ユーザにポイント取得による購入意欲を与え、投票券の購入を促進することのできるポイントサービスシステムを提供する。【解決手段】投票券自動発払機１２でユーザがポイントカードと購入金を投入すると、ポイント管理装置１０では、購入金ポイント計算部３２が購入金に基づくポイント数を計算する。また、オッズデータ読み出し部３４が記憶部３１からユーザが購入した投票内容のオッズを獲得し、オッズに応じたポイント数をオッズポイント計算部３５が計算する。両者はポイント合算部３３において合算される。ポイント付加決定パラメタ読み出し部３６は、記憶部３１のデータと照らし合わせ、ユーザが勝った人か負けた人かを判断し、ポイントを付加するか否かを判断する。【選択図】      図２
2005004551.tif 000002
【特許請求の範囲】
【請求項１】
公営競技で、ユーザが購入した投票券に応じてポイントを前記ユーザに還元するポイントサービスシステムにおいて、
前記投票券のレースのオッズを取得するオッズ取得手段と、
オッズにしたがって、前記ユーザにポイントを与えるポイント付与手段と、
を備えることを特徴とするポイントサービスシステム。
【請求項２】
前記オッズに従ったポイント数と、ユーザの前記投票券の購入金額に応じたポイント数を加算したものをユーザに与えることを特徴とする請求項１に記載のポイントサービスシステム。
【請求項３】
前記ポイントは、前記投票券の内容が的中した人と、的中しなかった人を区別して与えられることを特徴とする請求項１及び請求項２に記載のポイントサービスシステム。
【請求項４】
前記オッズに従ったポイントは、オッズ確定後のオッズに応じて、ユーザに付与されることを特徴とする請求項１乃至３に記載のポイントサービスシステム。
【請求項５】
前記オッズに従ったポイントは、前記ユーザが前記投票券の購入時のレースのオッズに応じて、ユーザに付与されることを特徴とする請求項１乃至３に記載のポイントサービスシステム。
【発明の詳細な説明】
【０００１】
【発明の属する技術分野】
本発明は、競馬や競輪、競艇、オートレースなどの公営競技において、投票券を買ったユーザにポイントを付与し、利益の一部を還元するシステムに関する。
【０００２】
【従来の技術】
公営競技において、各レースについて投票券を買った人にポイントを付与し、利益還元するシステムは従来から存在する。
【０００３】
図７は、従来のポイントサービスの処理手順を示すフローチャートである。
投票券自動発払機において、投票券を購入する場合、購入金の投入（ステップＳ１００）、ポイントカードの投入（ステップＳ１０１）、マークカードの投入（ステップＳ１０２）を行う。
【０００４】
この場合の購入における手段として、下記が挙げられる。
・現金
・クレジットカード
・デビットカード
・電子マネーカード
・プリペイドカード
・バウチャ券
また、ポイント取得用の手段として、下記が挙げられる。
・電子マネー
・バウチャ券
・ポイントカード
・ＩＣカード
電子マネーカードなどの両方に記載があるものは、投票券の購入とポイント取得用の両方の手段に使用できるため、購入金の投入（ステップＳ１００）とポイントカードの投入（ステップＳ１０１）、お釣りの受け取り（ステップＳ１１０）とポイントカードの受け取り（ステップＳ１１１）は共通化される。
【０００５】
購入金の投入（ステップＳ１００）、ポイントカードの投入（ステップＳ１０１）、マークカードの投入（ステップＳ１０２）後、購入金額の集計（ステップＳ１０３）を行い、購入金合計とポイント残高を、ポイント管理装置にデータ送信（ステップＳ１０４）する。
【０００６】
ポイント管理装置では、送信されたデータを元に、購入金によるポイント計算（ステップＳ１０５）を行い、得られた今回取得ポイントとポイント残高を合算（ステップＳ１０６）する。合算済みのポイント残高は、投票券自動発払機にデータ送信（ステップＳ１０７）され、ポイントの更新（ステップＳ１０８）が行われる。ポイントの更新方法は、ポイント取得用の手段として挙げられたアイテムにより異なる（例えば、電子マネーカードの場合、投票券管理装置から送信されてきた合算済みポイント残高のデータを、電子マネーカード内の記憶域に書き込む）。
【０００７】
ポイントの更新（ステップＳ１０８）が終わると、投票券が出力されるので、投票券を受け取り（ステップＳ１０９）、続いてお釣りがある場合は、お釣りが出力されるので、お釣りを受け取る（ステップＳ１１０）。最後に更新されたポイントカードが出力されるので、ポイントカードを受け取り（ステップＳ１１１）、一連の処理が終了する。
【０００８】
また、従来のポイントサービスを実現する技術としては、特許文献１及び特許文献２がある。特許文献１においては、ＩＣカードにユーザの投票内容を記録し、レース終了後、ユーザの投票内容が的中したか否かを判断しＩＣカードに書き込む。ＩＣカードには、的中した投票のデータが蓄積され、これに基づいて、的中ポイントを付与するものである。特許文献２においては、ポイントカードに投票内容に応じてポイントを加算する。このとき、的中券では、ポイントが与えられるほか、通常の通り現金の払い戻しが行われるが、不的中券では、ポイントが与えられ、投票券が回収される。したがって、レースが終了した後、不的中券が場内に散乱するという自体を防げるというものである。
【０００９】
【特許文献１】
特開平１１−１２０２５９号公報
【特許文献２】
特開２００１−１７５７８９号公報
【００１０】
【発明が解決しようとする課題】
従来のポイント付与においては、固定した基準によってポイントが付加されていたが、これでは、ポイント取得における楽しみが少なく、ユーザのポイント取得による購入意欲が大きくならない。
【００１１】
本発明の課題では、ユーザにポイント取得による購入意欲を与え、投票券の購入を促進することのできるポイントサービスシステムを提供することである。
【００１２】
【課題を解決するための手段】
本発明のポイントサービスシステムは、公営競技で、ユーザが購入した投票券に応じてポイントを前記ユーザに還元するポイントサービスシステムにおいて、前記投票券のレースのオッズを取得するオッズ取得手段と、オッズにしたがって、前記ユーザにポイントを与えるポイント付与手段とを備えることを特徴とする。
【００１３】
本発明によれば、投票券の内容に対応するレースのオッズに応じてポイントをユーザに与えるので、ポイント取得についてもギャンブル性が増し、ユーザの投票券購入の意欲を大きくすることができる。
【００１４】
【発明の実施の形態】
以下、図面を参照して本発明の実施形態を説明する。
図１は、本発明の実施形態のシステム構成図を示す図である。
【００１５】
ポイント管理装置１０は、通信網１１を用いて、複数台の投票券自動発払機１２と通信することができる。通信網１１は、専用回線が考えられるが、ＶＰＮ（Ｖｉｒｔｕａｌ  Ｐｒｉｖａｔｅ  Ｎｅｔｗｏｒｋ）などの秘匿技術を利用して、インターネットなどの共有回線を用いてもよい。投票券自動発払機１２は、顧客に対して、投票券を自動発券したり現金を払い戻す装置である。競技場や投票券販売所に設置され、現金、クレジットカード、デビットカード、電子マネー、プリペイドカード、バウチャ券から、顧客は投票券を購入することができる。投票券自動発払機１２を顧客自身が操作する以外にオペレータが操作してもよい。また、投票券自動発払機１２は、顧客自身のパーソナルコンピュータなどの通信装置であってもよい。この場合、投票券は紙ではなく電子データとなり、決済はインターネットの決済技術などを用いることが考えられる。
【００１６】
図２は、ポイント管理装置１０のブロック図である。
通信部３０は、通信網１１と接続され、複数の投票券自動発払機１２と通信することができる。
【００１７】
記憶部３１は、発券した投票券の情報を投票データベースとして蓄積する。また、オッズ（例えば、馬券があたったらいくらになるかをあらわす）のデータやオッズポイントサービスの一形態における付加決定パラメタのデータを管理している。
【００１８】
購入金ポイント計算部３２は、投票券の購入金額の合計を用いて、付加するポイントをいくらにするか計算する。計算方法は、購入金合計を用いて、四則演算などの算術を用いて算出する。
【００１９】
ポイント合算部３３は、ポイント残高と購入金ポイント計算部３３または、オッズポイント計算部３５で算出された今回取得ポイントとを合算する。
オッズデータ読み出し部３４は、投票券の内容に該当するオッズデータを、記憶部３１で管理しているオッズデータから読み出す（例えば、１−２：ワイドの投票券を購入していた場合、記憶部３１で管理している１−２：ワイドのオッズデータを読み出してくる）。
【００２０】
オッズポイント計算部３５は、読み出した該当するオッズデータを用いて、付加するポイントをいくらにするか計算する。計算方法は、オッズデータを用いて、四則演算などの算術を用いて算出する。
【００２１】
ポイント付加決定パラメタ読み出し部３６は、勝った人（投票券が的中した人）の中から、あるいは負けた人（投票券が的中しなかった人）の中から、記憶部３１で管理しているパラメタを用いてポイントを付加する人を決定する。
【００２２】
ポイントの生成の一例としては、購入金額の一定金額毎にポイントを発生したり、あるいは、購入回数ごとに発生することが考えられる。また、オッズを用いたポイントを発生することも考えられる。顧客は、蓄積したポイントによって景品と引き換えたり、キャッシュバックを受けたり、投票を行うことができる。
【００２３】
図３及び図４は、オッズポイントサービス（態様１）の処理手順を示すフローチャートである。
態様１では、ポイント付加のタイミングが投票券購入時と、投票券確定済み後に存在する。実施に際しては、投票券購入時のみ、投票券確定済み後のみ、投票券購入時と投票券確定済み後の両方の組み合わせが考えられる。
［投票券購入時］
投票券自動発払機１２において、投票券を購入する場合、購入金の投入（ステップＳ２００）、ポイントカードの投入（ステップＳ２０１）、マークカードの投入（ステップＳ２０２）を行う。
【００２４】
この場合の購入における手段として、下記が挙げられる。
・現金
・クレジットカード
・デビットカード
・電子マネーカード
・プリペイドカード
・バウチャ券
また、ポイント取得用の手段として、下記が挙げられる。
・電子マネーカード
・バウチャ券
・ポイントカード
・ＩＣカード
電子マネーカードなどの両方に記載があるものは、投票券の購入とポイント取得用の両方の手段に使用できるため、購入金の投入（ステップＳ２００）とポイントカードの投入（ステップＳ２０１）、お釣りの受け取り（ステップＳ２１０）とポイントカードの受け取り（ステップＳ２１１）は共通化される。
【００２５】
購入金の投入（ステップＳ２００）、ポイントカードの投入（ステップＳ２０１）、マークカードの投入（ステップＳ２０２）後、購入金額の集計（ステップＳ２０３）を行い、購入金合計とポイント残高を、ポイント管理装置にデータ送信（ステップＳ２０４）する。
【００２６】
ポイント管理装置では、送信されたデータを元に、購入金によるポイント計算（ステップＳ２０５）を行い、その結果とポイント残高を合算（ステップＳ２０６）する。合算されたポイントの残高は、投票券自動発払機１２にデータ送信（ステップＳ２０７）され、ポイントの更新（ステップＳ２０８）が行われる。ポイントの更新方法は、ポイント取得用の手段として挙げられたアイテムにより異なる（例えば、電子マネーカードの場合、投票券管理装置１０から送信されてきた合算済みポイント残高のデータを、電子マネーカード内の記憶域に書き込む）。
【００２７】
ポイントの更新（ステップＳ２０８）が終わると、投票券が出力されるので、投票券を受け取り（ステップＳ２０９）、続いてお釣りがある場合は、お釣りが出力されるので、お釣りを受け取る（ステップＳ２１０）。最後に更新されたポイントカードが出力されるので、ポイントカードを受け取り（ステップＳ２１１）、一連の処理が終了する。
［投票券確定済み後］
投票券自動発払機１２において、確定済み投票券でポイントを付加する場合、確定済み投票券の投入（ステップＳ２３０）、ポイントカードの投入（ステップＳ２３１）を行う。
【００２８】
この場合の確定済み投票券における手段として、下記が挙げられる。
・紙による投票券（バウチャ券）
・磁気による投票券
・バーコードによる投票券
・電子形式による投票券（電子マネーカード）
またポイント取得用の手段として、下記が挙げられる。
・電子マネーカード
・バウチャ券
・ポイントカード
・ＩＣカード
電子マネーカードなどの両方に記載があるものは、投票券の購入とポイント取得用の両方の手段に使用できるため、確定済み投票券の投入（ステップＳ２３０）とポイントカードの投入（ステップＳ２３１）、精算金の受け取り（ステップＳ２３９）とポイントカードの受け取り（ステップＳ２４０）は共通化される（精算金の受け取りは、的中券の場合のみである）。
【００２９】
確定済み投票券の投入（ステップＳ２３０）、ポイントカードの投入（ステップＳ２３１）後、購入金額の集計（ステップＳ２３２）を行い、確定済み投票券の投票内容、購入金合計、ポイント残高を、ポイント管理装置にデータ送信（ステップＳ２３３）する。
【００３０】
ポイント管理装置では、送信されたデータを元に、確定済み投票券の内容に該当するオッズデータを、記憶部３１で管理しているオッズデータからオッズデータ読み出し（ステップＳ２３４）する（このときのオッズデータは、確定されたオッズとなる）。読み出した該当するオッズデータを用いて、付加するポイントをいくらにするかのオッズポイント計算（ステップＳ２３５）する。計算方法は、オッズデータを用いて、四則演算などの算術を用いて算出する。
【００３１】
オッズポイント計算（ステップＳ２３５）で得られた今回取得ポイントとポイント残高を合算（ステップＳ２３６）する。合算されたポイントの残高は、投票券自動発払機１２にデータ送信（ステップＳ２３７）され、ポイントの更新（ステップＳ２３８）が行われる。ポイントの更新方法は、ポイント取得用の手段として挙げられたアイテムにより異なる（例えば電子マネーカードの場合、投票券管理装置１０から送信されてきた合算済みポイント残高のデータを、電子マネーカード内の記憶域に書き込む）。
【００３２】
ポイントの更新（ステップＳ２３８）が終わると、精算金が出力されるので、精算金を受け取る（ステップＳ２３９）（精算金の受け取りは、的中券の場合のみ出力される）。最後に更新されたポイントカードが出力されるので、ポイントカードを受け取り（ステップＳ２４０）、一連の処理が終了する。
【００３３】
図５は、オッズポイントサービス（態様２）の処理手順を示すフローチャートである。
態様２では、ポイント付加が購入金によるポイントとオッズによるポイントが存在する。実施に際しては、購入金によるポイントのみ、オッズによるポイントのみ、購入金によるポイントとオッズによるポイントの両方の組み合わせが考えられる。
【００３４】
投票券自動発払機１２において、投票券を購入する場合、購入金の投入（ステップＳ３００）、ポイントカードの投入（ステップＳ３０１）、マークカードの投入（ステップＳ３０２）を行う。
【００３５】
この場合の購入における手段として、下記が挙げられる。
・現金
・クレジットカード
・デビットカード
・電子マネーカード
・プリペイドカード
・バウチャ券
また、ポイント取得用の手段として、下記が挙げられる。
・電子マネーカード
・バウチャ券
・ポイントカード
・ＩＣカード
電子マネーカードなどの両方に記載があるものは、投票券の購入とポイント取得用の両方の手段に使用できるため、購入金の投入（ステップＳ３００）とポイントカードの投入（ステップＳ３０１）、お釣りの受け取り（ステップＳ３１２）とポイントカードの受け取り（ステップＳ３１３）は共通化される。
【００３６】
購入金の投入（ステップＳ３００）、ポイントカードの投入（ステップＳ３０１）、マークカードの投入（ステップＳ３０２）後、購入金額の集計（ステップＳ３０３）を行い、マークカードの投票内容と購入金合計とポイント残高を、ポイント管理装置にデータ送信（ステップＳ３０４）する。
【００３７】
ポイント管理装置では、送信されたデータを元に、購入金によるポイント計算（ステップＳ３０５）を行い、マークカードの投票内容に該当するオッズデータを、記憶部３１で管理しているオッズデータからオッズデータ読み出し（ステップＳ３０６）する（このときのオッズデータは、確定されていないオッズで、時々刻々と変化していくものであり、投票時点のオッズとなる）。読み出した該当するオッズデータを用いて、付加するポイントをいくらにするかオッズポイント計算（ステップＳ３０７）する。計算方法は、オッズデータを用いて、四則演算などの算術を用いて算出する。
【００３８】
オッズポイント計算（ステップＳ３０７）で得られた今回取得ポイントとポイント残高を合算（ステップＳ３０８）する。合算されたポイントの残高は、投票券自動発払機１２にデータ送信（ステップＳ３０９）され、ポイントの更新（ステップＳ３１０）が行われる。ポイントの更新方法は、ポイント取得用の手段として挙げられたアイテムにより異なる（例えば電子マネーカードの場合、投票券管理装置１０から送信されてきた合算済みポイント残高のデータを、電子マネーカード内の記憶域に書き込む）。
【００３９】
ポイントの更新（ステップＳ３１０）が終わると、投票券が出力されるので、投票券を受け取り（ステップＳ３１１）、続いてお釣りがある場合は、お釣りが出力されるので、お釣りを受け取る（ステップＳ３１２）。最後に更新されたポイントカードが出力されるので、ポイントカードを受け取り（ステップＳ３１３）、一連の処理が終了する。
【００４０】
図６は、オッズポイントサービス（態様３）の処理手順を示すフローチャートである。
態様３では、勝った人（投票券が的中した人）の中から、あるいは、負けた人（投票券が的中しなかった人）の中からという概念で、ポイントを付加するサービスを行う。
【００４１】
投票券自動発払機１２において、確定済み投票券でポイントを付加する場合、確定済み投票券の投入（ステップＳ４００）、ポイントカードの投入（ステップＳ４０１）を行う。
【００４２】
この場合の確定済み投票券における手段として、下記が挙げられる。
・紙による投票券
・磁気による投票券
・バーコードによる投票券
・電子形式による投票券（電子マネーカード）
また、ポイント取得用の手段として、下記が挙げられる。
・電子マネーカード
・バウチャ券
・ポイントカード
・ＩＣカード
電子マネーカードなどの両方に記載があるものは、投票券の購入とポイント取得用の両方の手段に使用できるため、確定済み投票券の投入（ステップＳ４００）とポイントカードの投入（ステップＳ４０１）、精算金の受け取り（ステップＳ４１０）とポイントカードの受け取り（ステップＳ４１１）は共通化される（精算金の受け取りは、的中券の場合のみである）。
【００４３】
確定済み投票券の投入（ステップＳ４００）、ポイントカードの投入（ステップＳ４０１）後、購入金額の集計（ステップＳ４０２）を行い、確定済み投票券の投票内容、購入金合計、ポイント残高を、ポイント管理装置にデータ送信（ステップＳ４０３）する。
【００４４】
ポイント管理装置では、記憶部３１で管理しているポイント付加決定パラメタを用いて、勝った人（投票券が的中した人）の中から、あるいは、負けた人（投票券が的中しなかった人）の中からポイント付加する者を決定するために、ポイント付加決定パラメタ取り込み（ステップＳ４０４）する。
【００４５】
ポイント管理装置では、送信されたデータを元に、確定済み投票券の内容に該当するオッズデータを、記憶部３１で管理しているオッズデータからオッズデータ読み出し（ステップＳ４０５）する（このときのオッズデータは、確定されたオッズとなる）。読み出した該当するオッズデータを用いて、付加するポイントをいくらにするかオッズポイント計算（ステップＳ４０６）する。計算方法は、オッズデータを用いて、四則演算などの算術を用いて算出する。
【００４６】
オッズポイント計算（ステップＳ４０６）で得られた今回取得ポイントとポイント残高を合算（ステップＳ４０７）する。合算されたポイントの残高は、投票券自動発払機１２にデータ送信（ステップＳ４０８）され、ポイントの更新（ステップＳ４０９）が行われる。ポイントの更新方法は、ポイント取得用の手段として挙げられたアイテムにより異なる（例えば、電子マネーカードの場合、投票券管理装置１０から送信されてきた合算済みポイント残高のデータを、電子マネーカード内の記憶域に書き込む）。
【００４７】
ポイントの更新（ステップＳ４０９）が終わると、精算金が出力されるので、精算金を受け取る（ステップＳ４１０）（精算金の受け取りは、的中券（勝った人）の場合のみ出力される）。最後に更新されたポイントカードが出力されるので、ポイントカードを受け取り（ステップＳ４１１）、一連の処理が終了する。
【００４８】
実施に際しては、オッズポイントサービスの態様１、態様２、態様３の組み合わせを行うことができる。
また、オッズポイントの計算方法の例としては、以下のようなものがある。
（新しいポイント）＝（古いポイント）＋（購入金額）／α＋β×（オッズ）
ここで、αは、購入金額とポイントとの換算係数であり、１ポイントが１００円に相当する場合には、αは１００である。（オッズ）は、ユーザが購入した、券に記載された内容のオッズであり、競馬で言えば、券に記載された内容が、馬連や枠連などの具体的な番号の組み合わせであり、オッズは、その番号の組み合わせに与えられたオッズである。したがって、βは、購入した券の（オッズ）に対してどの程度のポイントを与えるかを決める比例係数である。この比例係数は、本発明の実施形態を利用する者が、適宜設定すべきものである。
【００４９】
【発明の効果】
本発明によれば、購入者が購入した投票券の内容に与えられるオッズに基づいてポイントが与えられるので、ポイントを取得する過程に於いてもギャンブル性が生じ、購入者の投票券を買う意欲を掻き立て、したがって、投票券の売上を伸ばすことができる。
【図面の簡単な説明】
【図１】本発明の実施形態のシステム構成図を示す図である。
【図２】ポイント管理装置１０のブロック図である。
【図３】オッズポイントサービス（態様１）の処理手順を示すフローチャート（その１）である。
【図４】オッズポイントサービス（態様１）の処理手順を示すフローチャート（その２）である。
【図５】オッズポイントサービス（態様２）の処理手順を示すフローチャートである。
【図６】オッズポイントサービス（態様３）の処理手順を示すフローチャートである。
【図７】従来のポイントサービスの処理手順を示すフローチャートである。
【符号の説明】
１０      ポイント管理装置
１１      通信回線
１２      投票券自動発払機
３０      通信部
３１      記憶部
３２      購入金ポイント計算部
３３      ポイント合算部
３４      オッズデータ読み出し部
３５      オッズポイント計算部
３６      ポイント付加決定パラメタ読み出し部
【図１】
2005004551.tif 000003
【図２】
2005004551.tif 000004
【図３】
2005004551.tif 000005
【図４】
2005004551.tif 000006
【図５】
2005004551.tif 000007
【図６】
2005004551.tif 000008
【図７】
2005004551.tif 000009